(57)【要約】【課題】ディスプレイに表示される画面のズーム処理を簡便な操作で行うための新しい枠組みを提供する。【解決手段】本発明のズーム処理装置は、画面上でオブジェクトを選択しているポインタの移動量を算出し、算出の結果、前記ポインタの移動量が閾値以下の場合、前記オブジェクトを含む画面を第１の倍率で拡大表示し、前記ポインタの移動量が閾値より大きい場合、前記オブジェクトを含む画面を第２の倍率で縮小表示する。【選択図】図２
2011164766.tif 000002
【特許請求の範囲】
【請求項１】
画面上でオブジェクトを選択しているポインタの移動量を算出するポインタ移動量算出手段と、
算出の結果、前記ポインタの移動量が閾値以下の場合、前記オブジェクトを含む画面を第１の倍率で拡大表示し、前記ポインタの移動量が閾値より大きい場合、前記オブジェクトを含む画面を第２の倍率で縮小表示するズーム制御手段と、
を備えることを特徴とするズーム処理装置。
【請求項２】
前記ポインタ移動量算出手段は、前記ポインタの単位時間における移動量を算出、
前記ズーム制御手段は、前記算出時と直前の算出時とにおいて算出した前記ポインタの単位時間における移動量が閾値以下の場合、前記第１の倍率をより大きい倍率に更新し、前記オブジェクトを含む画面を前記更新した第１の倍率で拡大表示し、前記算出時と直前の算出時とにおいて算出した前記ポインタの単位時間における移動量が閾値より大きい場合、前記第２の倍率をより小さい倍率に更新し、前記オブジェクトを含む画面を前記更新した第２の倍率で縮小表示する、
請求項１に記載のズーム処理装置。
【請求項３】
画面のスクロール量を算出するスクロール量算出手段と、
算出の結果、前記スクロール量が閾値以下の場合、前記画面を第３の倍率で拡大表示し、前記スクロール量が閾値より大きい場合、前記画面を第４の倍率で縮小表示するズーム制御手段と、
を備えることを特徴とするズーム処理装置。
【請求項４】
画面上でオブジェクトを選択しているポインタの移動量を算出するステップと、
算出の結果、前記ポインタの移動量が閾値以下の場合、前記オブジェクトを含む画面を第１の倍率で拡大表示し、前記ポインタの移動量が閾値より大きい場合、前記オブジェクトを含む画面を第２の倍率で縮小表示するステップと、
を含むことを特徴とするズーム処理方法。
【請求項５】
請求項４に記載のズーム処理方法を情報処理装置に実行させるためのコンピュータプログラム。
【発明の詳細な説明】
【技術分野】
【０００１】
本発明は、画面を拡大表示し又は縮小表示するための技術に関する。
【背景技術】
【０００２】
昨今、リッチな操作性を備えたＧＵＩがパーソナルコンピュータにとどまらず携帯電話などにまで普及してきており、それに伴って画面表示のスクロール処理やズーム処理等の制御を行うためのポインティングデバイス（マウスなど）も、情報処理端末において一般的に装備されるようになってきている。
【０００３】
例えば、下記特許文献１には、作業表面に対してポインティングデバイスが移動した距離に比例して、スクローリング又はズーミングを実施する技術が開示されている。
【先行技術文献】
【特許文献】
【０００４】
【特許文献１】特表２００８−５２９１５３号公報
【発明の概要】
【発明が解決しようとする課題】
【０００５】
しかし、特許文献１の技術では、スクロール処理又はズーム処理を行うためには、スクローリング又はズーミングモードを作動させ、スクローリング又はズーミング方向を定義したうえで、スクローリング又はズーミングを実施するという３段階の複雑な操作を行う必要がある。
【０００６】
本発明は、ディスプレイに表示される画面のズーム処理を簡便な操作で行うための新しい枠組みを提供することを目的とする。
【課題を解決するための手段】
【０００７】
本発明の第１のズーム処理装置は、画面上でオブジェクトを選択しているポインタの移動量を算出するポインタ移動量算出手段と、算出の結果、前記ポインタの移動量が閾値以下の場合、前記オブジェクトを含む画面を第１の倍率で拡大表示し、前記ポインタの移動量が閾値より大きい場合、前記オブジェクトを含む画面を第２の倍率で縮小表示するズーム制御手段と、を備えることを特徴とする。
【０００８】
本発明の実施態様では、前記ポインタ移動量算出手段は、前記ポインタの単位時間における移動量を算出、前記ズーム制御手段は、前記算出時と直前の算出時とにおいて算出した前記ポインタの単位時間における移動量が閾値以下の場合、前記第１の倍率をより大きい倍率に更新し、前記オブジェクトを含む画面を前記更新した第１の倍率で拡大表示し、前記算出時と直前の算出時とにおいて算出した前記ポインタの単位時間における移動量が閾値より大きい場合、前記第２の倍率をより小さい倍率に更新し、前記オブジェクトを含む画面を前記更新した第２の倍率で縮小表示する。
【０００９】
本発明の第２のズーム処理装置は、画面のスクロール量を算出するスクロール量算出手段と、算出の結果、前記スクロール量が閾値以下の場合、前記画面を第３の倍率で拡大表示し、前記スクロール量が閾値より大きい場合、前記画面を第４の倍率で縮小表示するズーム制御手段と、を備えることを特徴とする。
【００１０】
本発明のズーム処理方法は、画面上でオブジェクトを選択しているポインタの移動量を算出するステップと、算出の結果、前記ポインタの移動量が閾値以下の場合、前記オブジェクトを含む画面を第１の倍率で拡大表示し、前記ポインタの移動量が閾値より大きい場合、前記オブジェクトを含む画面を第２の倍率で縮小表示するステップと、を含むことを特徴とする。
【００１１】
本発明のコンピュータプログラムは、上記ズーム処理方法を情報処理装置に実行させるためのコンピュータプログラムである。
【００１２】
なお、本発明において、手段とは、単に物理的手段を意味するものではなく、その手段が有する機能をソフトウェアによって実現する場合も含む。また、１つの手段や装置が有する機能が２つ以上の物理的手段や装置により実現されても、２つ以上の手段や装置の機能が１つの物理的手段や装置により実現されても良い。
【発明の効果】
【００１３】
本発明によれば、画面に表示されるオブジェクトをポインタで選択した状態で、該ポインタを移動し又は停止するだけで、該ポインタの移動量に基づいて、かかる画面をズームさせることができる。或いは、画面をスクロールするだけで、かかる画面のスクロール量に基づいて、該画面をズームさせることができる。
【図面の簡単な説明】
【００１４】
【図１】第１実施形態のズーム処理装置の構成を示す図である。
【図２】ズーム処理装置によるズーム処理のフローチャート。
【図３】画面上でポインタがオブジェクトを選択したまま移動する状態を示す図である。
【図４】単位時間（ｄｔ）に亘って、画面上でポインタがオブジェクトを選択したまま移動する状態を示す図である。
【図５】ズーム処理装置をアプリケーションサーバとして用いる例を示す図である。
【図６】ズーム処理装置の別の構成を示す図である。
【発明を実施するための形態】
【００１５】
以下、本発明の実施形態として、ポインティングデバイスの操作によって、ディスプレイ上の画面を拡大表示し又は縮小表示するための枠組みについて、図面を参照して説明する。
【００１６】
図１は、第１実施形態のスーム処理装置１００の構成を示す。
【００１７】
ズーム処理装置１００は、ハードディスク（ＨＤＤ）、ＲＡＭ、ＲＯＭ、ＣＰＵ、及び通信装置を備える一般的なパーソナルコンピュータを用いて構成され、ポインティングデバイスとしてのマウス１１０、及びディスプレイ１２０が接続されている。
【００１８】
また、例えばＨＤＤに格納されている所定のアプリケーションプログラムをＣＰＵがＲＡＭ上に読み出して実行することにより機能的に実現されるアプリケーション実行部１３０と、ＨＤＤに格納されている、本発明の特徴的な機能を実現するための所定のコンピュータプログラムをＣＰＵがＲＡＭ上に読み出して実行することにより機能的に実現されるズーム処理部１４０とを備える。アプリケーションプログラムとしては、インターネットブラウザ、文書作成ソフト、表計算ソフト、プレゼンテーション用スライド作成ソフト、画像編集ソフト、又は地図情報表示ソフトなど、任意のアプリケーションプログラムを用いることができる。
【００１９】
ズーム処理装置１００のズーム処理部１４０は、ユーザによるマウス１１０の操作に基づいて、アプリケーション実行部１３０による演算結果としてディスプレイ１２０に表示される画面を縮小し又は拡大する。また、ズーム処理部１４０は、かかる機能を実現するための機能手段として、マウス移動量取得手段１５０、ポインタ移動量算出手段１６０、及びズーム制御手段１７０を備える。以下、各機能手段について説明する。
【００２０】
アプリケーション実行部１３０は、実行中のアプリケーションプログラムの機能を実現し、演算結果をディスプレイ１２０に表示する。
【００２１】
マウス移動量取得手段１５０は、マウス１１０から、該マウス１１０の移動量を示す情報、及び該マウス１１０が備えるボタンがクリックされているかどうかを示す情報等を取得する。マウス１１０の移動量を示す情報としては、例えば、所定の向きを基準とする横方向（Ｘ方向）の移動量及び縦方向（Ｙ方向）の移動量を示す情報を取得する。
【００２２】
ポインタ移動量算出手段１６０は、マウス１１０の移動量に基づき、ディスプレイ１２０に表示された画面上においてオブジェクトを選択しているポインタの移動量を算出する。より詳細には、マウス１１０の移動量に基づき、オブジェクトを選択しているポインタの単位時間当たりの移動量（単位移動量）として、ポインタの第１の座標Ｓと第２の座標Ｔとの間の距離（｜Ｔ−Ｓ｜）を求める。単位移動量の単位は、ｍｍ、ｐｔ、ｉｎｃｈなど、コンピュータが処理可能な任意の長さの単位を用いることができる。なお、オブジェクトとは、アプリケーション実行部１３０によってディスプレイ１２０に表示される画面上に存在し、マウス１１０の操作に応じてポインタで選択して移動（ドラッグ）できる任意のオブジェクトである。例えば、背景画像、図形、テキストボックス、スクロールバー、又はスクロールボタンなどである。
【００２３】
ズーム制御手段１７０は、ポインタ移動量算出手段１６０が求めたポインタ移動量が閾値より大きいかどうかに基づいて、ディスプレイ１２０に表示される前記オブジェクトを含む画面を所定の倍率で拡大表示し又は縮小表示する。より詳細には、ポインタ移動量算出手段１６０による単位移動量の算出の結果、単位移動量が所定の閾値以下の場合、前記オブジェクトを含む画面を第１の倍率"αm"（α＞１，ｍは正の整数）で拡大表示し、ポインタの単位移動量が所定の閾値より大きい場合、前記オブジェクトを含む画面を第２の倍率"βn"（１＞β＞０，ｎは正の整数）で縮小表示する。
【００２４】
また、ズーム制御手段１７０は、ポインタ移動量算出手段１６０がポインタの単位移動量を新たに算出した時と直前の算出時とにおいて（連続する単位時間（２ｄｔ）に亘って）、単位移動量が閾値以下の場合、第１の倍率をより大きい倍率に更新し、ポインタによって選択されているオブジェクトを含む画面を前記更新した第１の倍率で拡大表示する。
【００２５】
一方、ポインタ移動量算出手段１６０がポインタの単位移動量を新たに算出した時と直前の算出時のそれぞれにおいて（連続する単位時間（２ｄｔ）それぞれにおいて）、算出したポインタの単位移動量が閾値より大きい場合、第２の倍率をより小さい倍率に更新し、ポインタによって選択されているオブジェクトを含む画面を前記更新した第２の倍率で縮小表示する。拡大又は縮小の倍率の変更方法については、図２を参照して後述する。
【００２６】
図２は、ズーム処理装置１００によるズーム処理の流れを示すフローチャートである。以下、図２等を参照して、かかる処理の内容を説明する。なお、本明細書において、フローチャート等に示す各工程（符号が付与されていない部分的な工程を含む）は処理内容に矛盾を生じない範囲で任意に順番を変更して又は並列に実行することができる。
【００２７】
第１実施形態では、図３に示すように、アプリケーション実行部１３０によってディスプレイ１２０に表示された画像編集画面３００上において、ユーザがマウス１１０を操作することによって、ポインタ３１０が何らかのオブジェクト（図示省略）を選択した状態で始点Ｓから終点Ｔまで移動（ドラッグ［drag］）する場合を想定する。なお、ドラッグは、ポインタ３１０が何らかのオブジェクトを選択した状態で移動する場合だけでなく、ポインタ３１０が何らかのオブジェクトを選択した状態で停止している場合も含むものとする。また、ズーム制御手段１７０が画像編集画面３００を拡大表示するか又は縮小表示するかの判断基準とするポインタ３１０の単位移動量の閾値は、０に設定されているものとする。すなわち、第１実施形態では、ポインタ３１０が単位時間（ｄｔ）において移動したかどうかが拡大表示と縮小表示のいずれかを選択するための基準となる。なお、ポインタ３１０の単位移動量の閾値は、０より大きな値に設定してもよい。
【００２８】
まず、ズーム処理装置１００のマウス移動量取得手段１５０は、ポインタ３１０がオブジェクトを選択していることを条件に（Ｓ２０１の判断がＹｅｓの場合に）、マウス１１０から取得した情報に基づいて、図４に示すように、ポインタ３１０の第１の座標Ｓ（ｘs，ｙs）を算出する（Ｓ２０２）。なお、ポインタ３１０がオブジェクトを選択していない場合（Ｓ２０１の判断がＮｏの場合）、ポインタ３１０によるオブジェクトの選択が開始されるまで待機する。
【００２９】
そして、ポインタ３１０がオブジェクトを選択した状態で単位時間（ｄｔ）が経過したことを条件に（Ｓ２０３の判断がＹｅｓの場合に）、マウス１１０から取得した情報に基づいて、図４に示すように、ポインタ３１０の第２の座標Ｔ（ｘt，ｙt）を算出する（Ｓ２０４）。なお、第１実施形態では、単位時間（ｄｔ）は例えば１秒間である。また、単位時間（ｄｔ）経過前にポインタ３１０によるオブジェクトの選択が解除された場合（Ｓ２０３の判断がＮｏの場合）、Ｓ２０１の処理へ戻る。
【００３０】
次に、ズーム処理装置１００のポインタ移動量算出手段１６０は、ポインタ３１０の単位移動量（｜Ｔ−Ｓ｜）、すなわち単位時間（ｄｔ）当たりのポインタ３１０の移動量（｜Ｔ−Ｓ｜）を算出する（Ｓ２０５）。
【００３１】
具体的には、単位移動量（｜Ｔ−Ｓ｜）は、マウス移動量取得手段１５０が算出したポインタの第１の座標Ｓ（ｘs，ｙs）と第２の座標Ｔ（ｘt，ｙt）との間の距離なので、｜Ｔ−Ｓ｜＝（（ｘt−ｘs）2＋（ｙt−ｙs）2）1/2により算出することができる。
【００３２】
そして、ズーム制御手段１７０は、Ｓ２０５で求めたポインタ移動量（ポインタ３１０の単位移動量）が閾値以下かどうか（０かどうか）、すなわち単位時間（ｄｔ）に亘って、オブジェクトを選択しているポインタ３１０が停止していたかどうかを判断する（Ｓ２０６）。
【００３３】
かかる判断において、ポインタ３１０の単位移動量が０である、すなわち単位時間（ｄｔ）に亘って、オブジェクトを選択しているポインタ３１０が停止していた場合（Ｓ２０６の判断がＹｅｓの場合）には、ズーム処理装置１００のズーム制御手段１７０は、さらに、直前のＳ２０６の判断結果と今般のＳ２０６の判断結果が同じかどうか、すなわち直前に求めた単位移動量と新たに求めた単位移動量がいずれも閾値以下かどうか（ここでは、０かどうか）を判断する（Ｓ２０７）。
【００３４】
かかる判断がＮｏの場合、ズーム制御手段１７０は、所定の係数"ｍ"の値を１に設定（初期化）し（Ｓ２０８）、画面を拡大するのに用いる第１の倍率を"αm"（α＞１）に設定（更新）し（Ｓ２０９）、ポインタ３１０によって選択されているオブジェクトを含む画像編集画面３００を、例えばポインタ３１０が画像編集画面３００の中心に位置するように、前記更新した第１の倍率"α"で拡大表示（ズームイン）する（Ｓ２１０）。なお、αは例えば１．０〜２．０の間の数値に設定することが考えられる。
【００３５】
一方、かかる判断がＹｅｓの場合、ズーム制御手段１７０は、所定の係数"ｍ"の値を１インクリメントし（Ｓ２１１）、画面を拡大するのに用いる第１の倍率を、直前の画面拡大処理（Ｓ２１０）で用いた倍率より大きい倍率"αm"（α＞１）に設定（更新）し（Ｓ２０９）、ポインタ３１０によって選択されているオブジェクトを含む画像編集画面３００を、例えばポインタ３１０が画像編集画面３００の中心に位置するように、前記更新した第１の倍率"αm"で拡大表示（ズームイン）する（Ｓ２１１）。
【００３６】
また、Ｓ２０６の判断において、ポインタ３１０の単位移動量が閾値（ここでは０）より大きい、すなわち単位時間（ｄｔ）が経過するまでの間に、オブジェクトを選択しているポインタ３１０が移動した場合（Ｓ２０６の判断がＮｏの場合）には、ズーム制御手段１７０は、さらに、直前のＳ２０６の判断結果と今般のＳ２０６の判断結果が同じかどうか、すなわち直前に求めた単位移動量と新たに求めた単位移動量がいずれも閾値より大きいかどうか（０ではないかどうか）を判断する（Ｓ２１２）。
【００３７】
かかる判断がＮｏの場合、ズーム制御手段１７０は、所定の係数"ｎ"の値を１に設定（初期化）し（Ｓ２１３）、画面を縮小するのに用いる第２の倍率を"βn"（１＞β＞０）に設定（更新）し（Ｓ２１４）、ポインタ３１０によって選択されているオブジェクトを含む画像編集画面３００を、例えばポインタ３１０が画像編集画面３００の中心に位置するように、前記更新した第２の倍率"β"で縮小表示（ズームアウト）する（Ｓ２１５）。なお、βは例えば０．５〜１．０の間の数値に設定することが考えられる。
【００３８】
一方、かかる判断がＹｅｓの場合、ズーム制御手段１７０は、所定の係数"ｎ"の値を１インクリメントし（Ｓ２１６）、画面を縮小するのに用いる第２の倍率を、直前の縮小処理（Ｓ２１５）で用いた倍率より小さい倍率"βn"（１＞β＞０）に設定（更新）し（Ｓ２１４）、ポインタ３１０によって選択されているオブジェクトを含む画像編集画面３００を、例えばポインタ３１０が画像編集画面３００の中心に位置するように、前記更新した第２の倍率"βn"で縮小表示（ズームアウト）する（Ｓ２１５）。
【００３９】
ズーム処理装置１００のズーム処理部１４０は、上記の各ステップ（Ｓ２０１〜Ｓ２１６）を繰り返すことにより、ユーザによるマウス１１０の操作に応じて、画像編集画面３００を繰り返し拡大表示し又は縮小表示する。
【００４０】
以上のように、第１実施形態のズーム処理装置１００によれば、マウス１００を用いてオブジェクトをドラッグするだけで、該オブジェクトを含む画面をズーム（拡大又は縮小）させることができる。また、オブジェクトを選択しているポインタ３１０の移動量を連続する単位時間（ｄｔ）に亘って閾値以下に抑える（前述の例では、停止し続ける）ことで、画面の拡大倍率がより大きくなり（加速度的に画面が拡大され）、逆にオブジェクトを選択しているポインタ３１０の移動量を連続する単位時間（ｄｔ）それぞれにおいて閾値より大きくする（前述の例では、動かし続ける）ことで、画面の縮小倍率がより小さくなる（加速度的に画面が縮小される）ので、画面を拡大させたい又は縮小させたいというユーザのニーズに迅速に応えることができる。
【００４１】
以上、本発明の実施形態を説明したが、本発明は、上記実施形態に限定されることなく種々に変形して適用することが可能である。
【００４２】
［変形例］
第１実施形態とは異なり、ズーム処理装置１００は、通信回線５４０（例えば、インターネットなど）を介してユーザ端末５００通信可能に接続し、いわゆるアプリケーションサーバとすることができる。例えば、ズーム処理装置１００は、地図情報を配信するサーバとして機能するものとする。
【００４３】
また、ユーザ端末５００は、マウス５１０及びディスプレイ５２０その他一般的なパーソナルコンピュータが備える構成要素を具備し、ＣＰＵがＨＤＤ等の記憶装置からインターネットブラウザプログラムをＲＡＭ上に読み出して実行することにより、インターネットブラウザ５３０を機能的に有するものとする。そして、ズーム処理装置１００が送信する地図情報をインターネットブラウザ５３０が解釈し、ディスプレイ５２０に表示する。この場合、例えば、ディスプレイ５２０に表示される画面の背景全体（地図）がオブジェクトとなる。
【００４４】
この例では、ズーム処理装置１００が行うズーム処理の内容は第１実施形態の場合（図２）と基本的には同じであり、処理に必要なデータや処理結果を通信回線５４０を介してユーザ端末５００と送受信する点が第１実施形態と異なる。
【００４５】
詳細には、ユーザ端末５００を操作するユーザは、マウス５１０を操作し、ディスプレイ５２０に表示される地図をドラッグさせると、かかるマウス操作に関する情報がズーム処理装置１００に送信される。ズーム処理装置１００は、ユーザ端末５００から受信した情報に基づき、地図情報（ディスプレイ５２０に表示される地図の情報）をズーム（拡大し又は縮小）し、該ズームした地図情報をユーザ端末５００へ送信する。これにより、ユーザ端末５２０に接続されたディスプレイ５２０には、ズームされた地図が表示される。
【００４６】
また例えば、第１実施形態において、画面上に表示されるスクロールバーの移動量に基づいて画面をズームすることは、かかるスクロールバーの操作に応じてスクロールする画面のスクロール量に基づいて画面をズームしていると捉えることができる。かかる観点によれば、図６に示すような構成のズーム処理装置６００によっても、本発明の目的を達することができる。なお、マウス６１０及びディスプレイ６２０等の構成要素に通信可能に接続され、アプリケーション実行部６３０を機能的に備える点は、第１実施形態のズーム処理装置１００と同様である。
【００４７】
ズーム処理装置６００が第１実施形態のズーム処理装置１００と異なる点は、マウス移動量取得手段６５０がマウス６１０から取得した情報に基づいて、ディスプレイ６２０に表示される画面のスクロール量を算出するスクロール量算出手段６６０を備える点と、ズーム制御手段６７０が、スクロール量が閾値以下の場合に画面を第３の倍率で拡大表示し、スクロール量が閾値より大きい場合に画面を第４の倍率で縮小表示する点である。なお、倍率の設定及び更新については、第１実施形態で説明したのと同様の方法で行うことができる。
【００４８】
かかる構成によれば、マウス６１０の操作によってスクロールバーが操作された場合や、マウス６１０が備える画面スクロール手段（例えば、スクロールホイールなど）が操作された場合に、例えば単位時間における画面のスクロール量に基づいて、画面をズームすることができる。
【００４９】
また例えば、図２のＳ２０５で求めたポインタ３１０の単位移動量（｜Ｔ−Ｓ｜）の大きさに基づいて第１の倍率及び第２の倍率を設定してもよい。この場合、第１の倍率を例えば"α・（１＋｜Ｔ−Ｓ｜）"（α＞１）に設定し、第２の倍率を例えば"β・（１＋｜Ｔ−Ｓ｜）"（１＞β＞０）に設定することが考えられる。
【００５０】
また例えば、第１実施形態では、単位時間（ｄｔ）においてポインタ３１０がオブジェクトを選択した状態で停止していたかどうかの判断（図２のＳ２０６）は、Ｓ２０５で算出したポインタ３１０の単位移動量（｜Ｔ−Ｓ｜）に基づいて行っているが、単に、単位時間（ｄｔ）において、マウス１１０から取得した情報が変化したかどうかに基いて判断してもよい。この場合、単位時間（ｄｔ）に亘って、マウス１１０から同じ情報を取得し続けた場合（或いは、マウス１１０が移動していない場合は、何も情報を取得しない場合も有り得る）は、ポインタ３１０が停止していると判断することができる。
【符号の説明】
【００５１】
１００…ズーム処理装置，１１０…マウス，１２０…ディスプレイ，１３０…アプリケーション実行部，１４０…ズーム処理部，１５０…マウス移動量取得手段，１６０…ポインタ移動量算出手段，１７０…ズーム制御手段
【図１】
2011164766.tif 000003
【図２】
2011164766.tif 000004
【図３】
2011164766.tif 000005
【図４】
2011164766.tif 000006
【図５】
2011164766.tif 000007
【図６】
2011164766.tif 000008